(57)【特許請求の範囲】
【請求項１】
第一管状部材に接続されるとともに、雌ルアーコネクターと結合することによって、前記第一管状部材内の流路空間と前記雌ルアーコネクターに接続した第二管状部材内の流路空間とを連通する雄ルアーコネクターにおいて、
先端側に向かうにつれて先細りとなるテーパー形状に形成されて、前記雌ルアーコネクターに形成されたテーパー状の内周壁に液密的に当接可能なテーパー状外周壁と、内部空間を形成する内側壁とを有する側壁部と、前記側壁部の小径端面に形成され前記内部空間を外部に連通する出口開口とを有する雄ルアー部と、
一方側部分が前記雄ルアー部に連結されて内部に前記雄ルアー部の内部空間と連通する空間部が形成され、他方側部分が前記第一管状部材に接続可能とされたコネクター本体と、
内部に連通用流路が形成された管状部材であり、前記連通用流路を外部に連通する開口が一方の端部および他方の端部にそれぞれ形成され、前記一方の端部が前記雄ルアー部の内部空間に移動可能に内挿され、前記内部空間内で移動することによって前記出口開口を液密的に封止可能な雄ルアー部封止手段が前記一方の端部に形成された移動本体管と、
を備え、さらに、
前記雄ルアー部封止手段は、前記一方の端部に形成された開口にて径方向に横断して形成された突片で構成され、前記雄ルアー部は、前記雄ルアー部封止手段が前記出口開口を液密的に封止しているときに、前記一方の端部に形成された開口を液密的に封止する本体管封止手段を備えることを特徴とする雄ルアーコネクター。
【請求項２】
請求項１に記載の雄コネクターにおいて、
前記コネクター本体の内部における前記移動本体管の他方の端部に対応する部分に、前記移動本体管を一方に向って付勢するとともに前記移動本体管の連通用流路を塞ぐように設置され、前記移動本体管が他方に向って移動することにより開口する伸縮穴部を備えた弾性シール部材と、
前記雌ルアーコネクターを結合する際における前記雌ルアーコネクターの移動に連動して、前記出口開口が前記雄ルアー部封止手段によって液密的に封止された状態から開放された状態となるように前記移動本体管を移動する連動機構とを備えることを特徴とする雄ルアーコネクター。
【請求項３】
請求項２に記載の雄ルアーコネクターにおいて、
前記連動機構は、前記移動本体管に固定されるとともに、前記雌ルアーコネクターを結合するときに前記雌ルアーコネクターの端面に当接可能に配置された支持腕であることを特徴とする雄ルアーコネクター。
【請求項４】
請求項１ないし３のいずれか１に記載の雄ルアーコネクターにおいて、
前記雄ルアー部封止手段または前記本体管封止手段の少なくとも一方には、気体の通過が可能であるとともに液体の通過が不能な気体透過フィルターが取り付けられていることを特徴とする雄ルアーコネクター。
【請求項５】
請求項１ないし４のいずれか１に記載の雄ルアーコネクターにおいて、
前記内側壁と前記移動本体管の外周との間にシール部材が設けられていることを特徴とする雄ルアーコネクター。
【請求項６】
請求項１ないし５のいずれか１に記載の雄ルアーコネクターにおいて、
前記雌ルアーコネクターに螺合接続可能な第一内ネジ部を有し、前記第一内ネジ部を前記雌ルアーコネクターに螺合することにより、前記テーパー状外周壁を前記雌ルアーコネクターの内周壁に当接した状態で前記雄ルアー部を前記雌ルアーコネクターに固定するロック部材をさらに備えることを特徴とする雄ルアーコネクター。
【発明の詳細な説明】
【技術分野】
【０００１】
本発明は、雌ルアーコネクターとともに管状部材の途中に取り付けられ、雌ルアーコネクターと結合することによって、両コネクターに接続された管状部材内の流路空間を連通する雄ルアーコネクターに関する。
【背景技術】
【０００２】
医療現場において、輸液、輸血、人工透析、あるいは採血回路などを形成するために、各種医療用チューブを接続するためのコネクターが使用される。このとき使用されるコネクターとして代表的なものに、ほぼ共通の規格を持つテーパー形状を有するルアーコネクターがある。
【０００３】
ルアーコネクターは、一般的に、雌ルアーコネクターと雄ルアーコネクターに分かれて形成されており、雄ルアーコネクターには一方の医療用チューブが、雌ルアーコネクターには他方の医療用チューブが取り付けられる。そして、雄ルアーコネクターと雌ルアーコネクターとを結合させることによって、一方の医療用チューブと他方の医療用チューブとを連通させる。このとき、雌ルアーコネクターに形成されるテーパー状の内周壁と、雄ルアーコネクターの雄ルアー部に形成されるテーパー状の外周壁とが液密的に当接する。この当接状態で雄ルアーコネクターが雌ルアーコネクターに固定されることによって、雄ルアーコネクターと雌ルアーコネクターとの結合が完了し、医療用チューブを接続する際の液密性が確保される。
【０００４】
雌ルアーコネクターには、その開口部分に常閉型の弁機構が搭載されているものもあり、雄ルアーコネクターと結合していない状態において、この弁機構が閉じている。したがって、雄ルアーコネクターと結合していない状態で医療用チューブ内の液体が雌ルアーコネクターから漏れ出すことはない。一方、雌ルアーコネクターが雄ルアーコネクターと結合した際には、上記弁機構が開き、雄ルアーコネクターと連通する。この状態で雄ルアーコネクターに接続された一方の医療用チューブから液体が雄ルアーコネクターに送られると、この液体は雄ルアーコネクターから雌ルアーコネクターに流れ、さらに雌ルアーコネクターからこの雌ルアーコネクターに接続された他方の医療用チューブに流れる。こうして、雄ルアーコネクターに接続された一方の医療用チューブと雌ルアーコネクターに接続された他方の医療用チューブとが連通される。
【０００５】
このようなルアーコネクターとして、例えば、特許文献１には、雌ルアーコネクターの開口部分に弾性シリコーン封止体を取り付けるとともに、このシリコーン封止体中に鋭利な先端を持つスパイク部が配置されているものが記載されている。スパイク部は、内部に流路が形成されるとともに先端近傍に開口を有し、さらに基端部分には前記流路に連通する医療用チューブが接続される。そして、雄ルアーコネクターの雄ルアー部が雌ルアーコネクターの先端開口を押圧すると、弾性シリコーン封止体が開口して、雄ルアー部と結合されるものである。
【先行技術文献】
【特許文献】
【０００６】
【特許文献１】特表平７−５０５０６４号公報
【発明の概要】
【０００７】
上述のように、雌ルアーコネクターには常閉型の弁機構が搭載されたものが知られているが、雄ルアーコネクターにはこのような弁機構は搭載されていない。このため、雄ルアーコネクターの先端開口に菌が繁殖するおそれがあった。また、プライミング操作時に雄ルアーコネクターの先端開口から薬液がこぼれ、その部分からも菌が繁殖するおそれがあった。
【０００８】
本発明はこのような事情に鑑みなされたのもので、開口部を無菌的に保つことができる雄ルアーコネクターを提供することを、その目的とする。
【０００９】
前述した目的を達成するため、本発明に係る雄ルアーコネクターの特徴は、第一管状部材に接続されるとともに、雌ルアーコネクターと結合することによって、第一管状部材内の流路空間と雌ルアーコネクターに接続した第二管状部材内の流路空間とを連通する雄ルアーコネクターにおいて、先端側に向かうにつれて先細りとなるテーパー形状に形成されて、雌ルアーコネクターに形成されたテーパー状の内周壁に液密的に当接可能なテーパー状外周壁と、内部空間を形成する内側壁とを有する側壁部と、側壁部の小径端面に形成され内部空間を外部に連通する出口開口とを有する雄ルアー部と、一方側部分が雄ルアー部に連結されて内部に雄ルアー部の内部空間と連通する空間部が形成され、他方側部分が第一管状部材に接続可能とされたコネクター本体と、内部に連通用流路が形成された管状部材であり、連通用流路を外部に連通する開口が一方の端部および他方の端部にそれぞれ形成され、一方の端部が雄ルアー部の内部空間に移動可能に内挿され、内部空間内で移動することによって出口開口を液密的に封止可能な雄ルアー部封止手段が一方の端部に形成された移動本体管と、を備え、さらに、雄ルアー部封止手段は、一方の端部に形成された開口にて径方向に横断して形成された突片で構成され、雄ルアー部は、雄ルアー部封止手段が出口開口を液密的に封止しているときに、一方の端部に形成された開口を液密的に封止する本体管封止手段を備えることにある。
【００１０】
上記特徴を有する本発明の雄ルアーコネクターは、雄ルアー部内の内部空間に内挿された移動本体管の一方の端部が所定方向に移動されて、この一方の端部に形成される雄ルアー部封止手段が雄ルアー部の小径端面に形成される出口開口を液密的に封止する。このようにして液体の吐出口となる雄ルアー部の出口開口が液密的に封止されるので、不使用時に出口開口を無菌的に保つことができる。また、雄ルアー部封止手段によって出口開口が液密的に封止された状態から、移動本体管の一方の端部を雄ルアー部の内部空間内で上記所定方向とは反対の方向に移動することにより、雄ルアー部封止手段が出口開口から離れて出口開口が開放される。したがって、雌ルアーコネクターと結合するときは上記のようにして出口開口を開放することによって、液体を雌ルアーコネクター側に流通させることができる。
【００１１】
本発明によれば、上記した出口開口の液密的な封止および開放は移動本体管の一方の端部が雄ルアー部の内部空間内で移動することにより行われ、移動本体管が雄ルアー部の外部に露出するようなことはない。ここで、雄ルアーコネクターと雌ルアーコネクターとが結合した状態では雄ルアー部の小径端面よりも先の領域は雌ルアーコネクター内の空間となるので、このときに出口開口を開放するために雄ルアーコネクターの部品が雌ルアーコネクター内の空間中に露出すると、雌ルアーコネクター内の部品に干渉して動作不良を起すおそれがある。この点につき、本発明は上記した構成であるので、雌ルアーコネクターに干渉することなくスムーズに出口開口の開放を行い得る。
【００１２】
また、本発明に係る雌ルアーコネクターにおいては、雄ルアー部は、雄ルアー部封止手段が出口開口を液密的に封止しているときに、移動本体管の一方の端部に形成された開口を液密的に封止する本体管封止手段を備えている。雄ルアー部封止手段によって雄ルアー部の出口開口を液密的に封止すると同時に本体管封止手段によって移動本体管の一方の端部に形成された開口を液密的に封止すれば、確実に移動本体管から液体が漏れるのが防止される。また、このようにして互いの開口を液密的に封止し合うことにより、外部から雄ルアー部の内部空間内に他の薬液などが混入することが確実に防止される。
【００１３】
この場合、コネクター本体の内部における移動本体管の他方の端部に対応する部分に、移動本体管を一方に向って付勢するとともに移動本体管の連通用流路を塞ぐように設置され、移動本体管が他方に向って移動することにより開口する伸縮穴部を備えた弾性シール部材と、雌ルアーコネクターを結合する際における雌ルアーコネクターの移動に連動して、出口開口が雄ルアー部封止手段によって液密的に封止された状態から開放された状態となるように移動本体管を移動する連動機構とを備えることが好ましい。
【００１４】
この雄ルアーコネクターでは、雌コネクターと連通させるための雄ルアー部を、他方側部分が第一管状部材に接続されるコネクター本体の一方の端部から突出させた状態で設けている。そして、雄ルアー部の内部に移動本体管を軸方向に摺動可能に設けている。また、コネクター本体の内部における移動本体管の他方の端部に対応する部分には、伸縮穴部を備えた弾性シール部材が、移動本体管を一方に向って付勢するとともに移動本体管内の連通用流路を塞ぐようにして設けられている。そして、移動本体管が弾性シール部材によって一方に付勢されているときには、雄ルアー部封止手段によって雄ルアー部の出口開口が液密的に封止される。さらに、雄ルアーコネクターには、雌ルアーコネクターの移動に連動して、出口開口が雄ルアー部封止手段によって液密的に封止された状態から開放された状態となるように移動本体管を移動する連動機構が備わっている。
【００１５】
したがって、雄ルアーコネクターと雌ルアーコネクターとが接続されていないときには、弾性シール部材には外力が加わらず弾性シール部材の伸縮穴部は閉口した状態になり、この弾性シール部材によって、移動本体管内の連通用流路は閉塞される。このため、プライミングを行うときなどに、雄ルアーコネクターの流路内の薬液が弾性シール部材を越えて雄ルアー部の先端開口から外部にこぼれることはなくなる。この結果、薬液がこぼれて雄コネクターの外表面に付着し、付着部分から菌が繁殖するといったことを防止できる。また、薬液がこぼれて無駄になることもなくなる。
【００１６】
また、雄ルアー部の外周面は、先端側が徐々に細くなるテーパーを備えた曲面に形成され、雌ルアーコネクターの内周面は、雄ルアー部の外周面と液密的に接触できる曲面に形成されている。そして、雌ルアーコネクター内に雄ルアー部の先端側部分を入れて雌ルアーコネクターと雄ルアー部とを係合させて、雌ルアーコネクターの内周面と雄ルアー部の外周面とが液密的に接触したときに、連動機構の作用によって移動本体管が他方に移動して弾性シール部材が移動本体管に押されて伸縮穴部が開口する。
【００１７】
すなわち、雌ルアーコネクター内に雄ルアー部を入れていき、雌ルアーコネクターの内周面と雄ルアー部の外周面の先端側部分とが液密的に接触したときに、移動本体管が雌ルアーコネクターに押されて、雄ルアー部の出口開口を開口させるとともに、弾性シール部材の伸縮穴部を開口させるように構成している。これによって、第一管状部材と第二管状部材とは、雄ルアーコネクターと雌ルアーコネクターとを介して連通するため薬液等の液体を流すことができる。また、そのときに、弾性シール部材の伸縮穴部の開口は液体を適正な状態で通すために必要な大きさになるようにしておく。
【００１８】
また、この場合、連動機構によって雌ルアーコネクターの移動力を利用して移動本体管を移動して、雄ルアー部封止手段が出口開口の液密的な封止を解除するとともに、弾性シール部材の伸縮穴部を開口させるため、雄ルアーコネクターと雌ルアーコネクターとを接続させるための動作と、雄ルアー部の出口開口と弾性シール部材の伸縮穴部とを開口させるための動作を別々に行わなくてもよくなり、雄ルアーコネクターと雌ルアーコネクターとの結合作業が簡単になる。
【００１９】
この場合、連動機構は、移動本体管に固定されるとともに、雌ルアーコネクターを結合するときに雌ルアーコネクターの端面に当接可能に配置された支持腕で構成するとよい。このように構成すれば、雌ルアーコネクターが雄ルアーコネクターに近づいてくるときに、支持腕が雌ルアーコネクターの端面に当接して雌ルアーコネクターの移動力を受ける。そして、この当接状態を維持したままさらに雌ルアーコネクターが移動されると、この移動力は支持腕を固定する移動本体管に伝達されて、移動本体管が移動される。
【００２０】
また、移動本体管の雄ルアー部封止手段または雄ルアー部の本体管封止手段の少なくとも一方には、気体の通過が可能であるとともに液体の通過が不能な気体透過フィルターが取り付けられているとよい。気体透過フィルターが雄ルアー部封止手段に取り付けられていれば、雄ルアー部内の気体はこの気体透過フィルターを介して外部に放出されるが、液体は外部に放出されない。したがって、雄ルアー部封止手段で雄ルアー部の出口開口を液密的に封止した状態でプライミングを行って、出口開口から、雄ルアー部、移動本体管、または移動本体管に接続される管状部材内に滞留する空気等の気体のみを外部に放出することができる。
【００２１】
また、本発明の雄ルアーコネクターは、雄ルアー部の内側壁と移動本体管の外周との間にＯリングなどのシール部材が設けられているものであるとよい。上記の位置にシール部材を配設することにより、雄ルアー部封止手段によって出口開口を液密的に封止した状態で移動本体管の一端部に形成された開口から雄ルアー部の内部空間内に液体が流れ込んだとしても、シール部材の存在により雄ルアー部の外部への液体の漏れが防止される。
【００２２】
また、本発明の雄ルアーコネクターは、雌ルアーコネクターに螺合接続可能な第一内ネジ部を有し、第一内ネジ部を雌ルアーコネクターに螺合することにより、テーパー状外周壁を雌ルアーコネクターの内周壁に当接した状態で雄ルアー部を雌ルアーコネクターに固定するロック部材をさらに備えるものであるとよい。このロック部材によって、雌ルアーコネクターへの雄ルアーコネクターの接続が確実になされ、外部からの予期せぬ力によって簡単に雄ルアーコネクターと雌ルアーコネクターとの結合が解除されるのを防止することができる。
【図面の簡単な説明】
【００２３】
【図１】本発明の第一実施形態に係る雄ルアーコネクターの平面図である。
【図２】本発明の第一実施形態に係る雄ルアーコネクターの正面図である。
【図３】図２におけるＡ−Ａ断面図である。
【図４】図２におけるＢ−Ｂ断面図である。
【図５】本発明の第一実施形態に係る外筒部の斜視図である。
【図６】本発明の第一実施形態に係る外筒部の断面図である。
【図７】本発明の第一実施形態に係る雄ルアー部の正面図である。
【図８】本発明の第一実施形態に係る内筒部の斜視図である。
【図９】本発明の第一実施形態に係る内筒部の断面図である。
【図１０】本発明の第一実施形態に係る本体管の正面図である。
【図１１】外筒部に内筒部が挿入された状態を示す斜視図である。
【図１２】外筒部に内筒部が挿入された状態における正面図である。
【図１３】本発明の第一実施形態に係る雄ルアーコネクターが雌ルアーコネクターと結合したときの、図２におけるＡ−Ａ断面図である。
【図１４】本発明の第一実施形態に係る雄ルアーコネクターが雌ルアーコネクターと結合したときの、図２におけるＢ−Ｂ断面図である。
【図１５】第一実施形態の変形例を示す雄ルアーコネクターの、図２におけるＡ−Ａ断面図である。
【図１６】第一実施形態の変形例を示す雄ルアーコネクターが雌ルアーコネクターと結合したときの、図２におけるＡ−Ａ断面図である。
【図１７】本発明の第二実施形態に係る雄ルアーコネクターの断面図である。
【図１８】本発明の第二実施形態に係る本体管の先端部分の斜視図である。
【図１９】本発明の第二実施形態に係る本体管のフィルターを除いた状態を示す斜視図である。
【図２０】本発明の第二実施形態に係る雄ルアーコネクターが雌ルアーコネクターと結合したときの断面図である。
【図２１】本発明の第三実施形態に係る雄ルアーコネクターと雌ルアーコネクターとを接近させた状態を示した断面図である。
【図２２】コネクター本体の支持部と雄ルアー部を正面から見た状態を示した正面図である。
【図２３】本発明の第三実施形態に係る雄ルアーコネクターと雌ルアーコネクターとを接続させる状態を示した断面図である。
【図２４】本発明の第三実施形態に係る雄ルアーコネクターと雌ルアーコネクターとを接続させた状態を示した断面図である。
【発明を実施するための形態】
【００２４】
（第一実施形態）
以下、本発明に係る雄ルアーコネクターについて、図面を用いて詳しく説明する。図１は、本発明の第一実施形態に係る雄ルアーコネクターの平面図、図２は正面図、図３は図２におけるＡ−Ａ断面図、図４は図２におけるＢ−Ｂ断面図である。図１に示すように、本実施形態の雄ルアーコネクター１０１は、第一管状部材Ｔ１に接続されるとともに、雌ルアーコネクター１０と結合することによって、第一管状部材Ｔ１内の流路空間と、雌ルアーコネクター１０に接続した第二管状部材（図示省略）内の流路とを連通するものである。この雄ルアーコネクター１０１は、外筒部１１０と、内筒部１２０と、ロックリング１３０とを備えて構成されている。
【００２５】
図５は、外筒部１１０の概略斜視図、図６は図３の断面図のうち外筒部１１０のみの構成を示した図である。図３〜図６に示すように、外筒部１１０は、雄ルアー部１１１、リング保持部１１２、把持部１１３を有し、全体的に見て段付円筒形状に形成されている。雄ルアー部１１１は外筒部１１０の先端（図３、図４、図６において左端）部分に配置され、雌ルアーコネクター１０の内壁と当接可能となる部分である。リング保持部１１２は雄ルアー部１１１に連結しており、後述するロックリング１３０を保持する部分である。把持部１１３は、外筒部１１０の基端（図３、図４、図６において右端）側に形成され、使用者が雄ルアーコネクター１０１を把持する部分である。
【００２６】
図６に示すように、雄ルアー部１１１は側壁部１１１ａを有する円筒状に形成されている。この側壁部１１１ａは先端側（図示左側）に向かうにつれて先細りとなるテーパー形状に形成されたテーパー状外周壁１１１ｂと、このテーパー状外周壁１１１ｂと反対側の面であってその内周側に内部空間１１１ｄを形成する内側壁１１１ｃを有している。テーパー状外周壁１１１ｂは、雌ルアーコネクター１０に形成されたテーパー状内周壁１０ａに当接可能な面である。テーパー状外周壁１１１ｂが上記したような先細りテーパー形状とされているので、側壁部１１１ａの先端面は、外径が最も小さくなる小径端面１１１ｅを形成する。また、側壁部１１１ａの基端側（図示右側）は開口していて、この開口部分から後述の本体管１２１が内部空間１１１ｄ内に内挿される。
【００２７】
図７は小径端面１１１ｅを正面から見たときの拡大図である。図７からわかるように、小径端面１１１ｅには出口開口１１１ｆが形成されているとともに、この出口開口１１１ｆを径方向に横断するように柱部１１１ｇが設けられている。したがって、出口開口１１１ｆは柱部１１１ｇによって二分され、出口開口１１１ｆの開口縁によって２つの半円形状の隙間１１１ｈが互いに向き合っているように形成される。図からわかるように柱部１１１ｇは小径端面１１１ｅの図示上部と図示下部とをつなぐように鉛直状に形成される。また、柱部１１１ｇは出口開口１１１ｆ付近のみに形成されており、内部空間１１１ｄの全体にわたって形成されているわけではない。
【００２８】
図６に示すように、リング保持部１１２は、第一円筒部１１２ａ、第二円筒部１１２ｂ、第三円筒部１１２ｃから構成されている。第一円筒部１１２ａは雄ルアー部１１１のテーパー状外周壁１１１ｂから径方向外方に延び、雄ルアー部１１１と同軸的となるように円筒状に形成されている。第二円筒部１１２ｂおよび第三円筒部１１２ｃも円筒形状をしており、この順で第一円筒部１１２ａに同軸的に連結している。図５および図６からわかるように第一円筒部１１２ａおよび第三円筒部１１２ｃの外径は第二円筒部１１２ｂの外径よりも大きく形成されており、このため第一円筒部１１２ａと第二円筒部１１２ｂとの境には周方向に第一段差部１１２ｄが、第二円筒部１１２ｂと第三円筒部１１２ｃとの境には周方向に第二段差部１１２ｅがそれぞれ形成される。
【００２９】
また、図５および図６によく示すように、第一円筒部１１２ａの一方端面（雄ルアー部１１１に向いた側の端面）には、外部に開口した２つの窓部１１２ｆが形成されている。この窓部１１２ｆは、雄ルアー部１１１の外周に沿って所定の長さを持って形成されるとともに、径方向に所定の幅をもって形成されている。また、２つの窓部１１２ｆは、第一円筒部１１２ａの軸心に対して対称的となるように１８０度の間隔を持って図示上下に２つ形成されている。窓部１１２ｆからは、第一円筒部１１２ａ内に向けて通路１１２ｇが形成されている。この通路１１２ｇは、図６に示すように第二円筒部１１２ｂの内周側の空間に連通している。
【００３０】
把持部１１３は、第三円筒部１１２ｃに接続されていて、その外径が第三円筒部１１２ｃの外径と等しくなるように形成される。また、把持部１１３は内部に円筒状の空間を形成する内壁１１３ａを持つとともに、この内壁１１３ａから径方向内方に突出した環状凸部１１３ｂが形成される。また、図６からわかるように、把持部１１３の第三円筒部１１２ｃとの接続端には、軸方向に沿って内径が滑らかに増減したくびれ状の接続部１１３ｃが形成されている。一方、第三円筒部１１２ｃの把持部１１３との接続端には、上記接続部１１３ｃに対応した相補形状を持つくびれ状の接続部１１２ｈが形成されている。そして、これらの接続部１１３ｃと１１２ｈとが嵌り合うことによって、把持部１１３が第三円筒部１１２ｃに固定される。
【００３１】
リング保持部１１２および把持部１１３はともに円筒状に形成されていて、内部に空間Ｓを形成している。この空間Ｓは、図６に示すように雄ルアー部１１１内の内部空間１１１ｄに連通している。また、第一円筒部１１２ａに形成される通路１１２ｇは、この空間Ｓに開口している。
【００３２】
図８は、内筒部１２０の概略斜視図、図９は図３の断面図から内筒部１２０のみの構成を示した図である。図３、図４、図８、図９に示すように、内筒部１２０は、細長の段付円筒状に形成された本体管１２１と、本体管１２１の外周に形成された支持腕１２２とを有している。本体管１２１の内部には流路１２１ａが形成されている。この流路１２１ａは本発明の連通用流路に相当し、本体管１２１の軸方向に沿って形成される。また、本体管１２１は、第一開口１２１ｂおよび第二開口１２１ｃを有している。第一開口１２１ｂは本体管１２１の一方の端部（図４、図９において左側の端部）に形成される。第二開口１２１ｃは本体管１２１の他方の端部（図３、図４、図９において右側の端部）に形成されていて、この他方の端部に第一管状部材Ｔ１が接続されることによって、第一管状部材Ｔ１内の流路空間が第二開口１２１ｃを経て本体管１２１内の流路１２１ａ内の空間に連通される。
【００３３】
図１０は、第一開口１２１ｂを正面から見たときの拡大図である。図１０に示すように、第一開口１２１ｂは、左右縁が鉛直状に形成され、上下縁が凹状の円弧上に形成される。したがって、第一開口１２１ｂで囲われた空間の断面形状は、上下に膨らんだ太鼓形状とされる。本体管１２１内に形成される流路１２１ａ内の空間の断面形状も、上記太鼓形状と同様にされている。また、図８に示すように、第一開口１２１ｂから本体管１２１の軸方向に沿って切欠部１２１ｄが形成されており、この切欠部１２１ｄによって本体管１２１の一方の端部に２つの半円柱状の突片１２１ｅが形成される。この突片１２１ｅの断面形状は、雄ルアー部１１１の小径端面１１１ｅに形成される出口開口１１１ｆの開口縁で囲われる２つの半円形状の隙間１１１ｈと同様の形状をしている。
【００３４】
支持腕１２２は、本体管１２１の外周に固定されて径外方に延びて形成された支持部１２２ａと、この支持部１２２ａから本体管１２１の軸方向に沿って第一開口１２１ｂ側に延びた２本の腕部１２２ｂを備える。２本の腕部１２２ｂは本体管１２１に対して対称的に配置するように１８０度の間隔で支持部１２２ａに取り付けられており、その先端が本体管１２１の第一開口１２１ｂを越えない程度に第一開口１２１ｂ付近まで延びている。なお、支持腕１２２が本発明の連動機構に相当する。支持腕１２２は、本体管１２１に固定されていれば、本体管１２１と一体に形成してもよいし別体で形成してもよい。
【００３５】
図３および図４に示すように、内筒部１２０は外筒部１１０内に軸方向移動可能に挿入されている。このとき、本体管１２１の第一開口１２１ｂ（図３、図４において不図示）から支持腕１２２の支持部１２２ａが取り付けられている部分までは雄ルアー部１１１の基端側の開口から内部空間１１１ｄ（図６参照）に収容され、それよりも図示右側の部分はリング保持部１１２および把持部１１３の内周側に形成される空間Ｓ（図９参照）に収容される。また、支持腕１２２は、空間Ｓから第一円筒部１１２ａ内に形成された通路１１２ｇ（図６参照）を通って外筒部１１０の外部に突出している。内筒部１２０が外筒部１１０に挿入されている状態の斜視図を図１１に示す。図１１からわかるように、支持腕１２２の腕部１２２ｂは第一円筒部１１２ａの端面に形成された窓部１１２ｆから突出し、外筒部１１０の軸方向に突き出した状態で配設されている。また、図３および図４に示すように雄ルアー部１１１の内側壁１１１ｃの基端付近の部分と、本体管１２１の雄ルアー部１１１内に内挿されている部分の外周との間には、Ｏリング１４２が嵌め込まれている。このＯリング１４２によって、本体管１２１の外壁面と雄ルアー部１１１の内側壁１１１ｃとの間からの液漏れが防止される。
【００３６】
図３、図４、図９からわかるように、本体管１２１の軸方向中央付近には、外径が小さくなっている小径部１２１ｆが形成されており、この小径部１２１ｆの軸方向両端にて周方向に第三段差部１２１ｇおよび第四段差部１２１ｈが形成される。そして、内筒部１２０が外筒部１１０内に内挿された状態で小径部１２１ｆと外筒部１１０の内壁との間にリング状の空間Ｒが形成され、このリング状空間Ｒにはベローズ１４１が配設されている。ベローズ１４１は本体管１２１の軸方向に伸縮可能なように本体管１２１の外周を覆って配置され、その一端が第三段差部１２１ｇに当接し、他端が小径部１２１ｆの外周に対面して配置されている把持部１１３の環状凸部１１３ｂに当接している。ベローズ１４１は図に示す状態で伸張力を発生しており、この伸張力によって環状凸部１１３ｂを第四段差部１２１ｈに押し付けるとともに、本体管１２１を図示左方向に移動するように付勢する。このため、本体管１２１の第一開口１２１ｂは雄ルアー部１１１の出口開口１１１ｆ付近まで移動する。
【００３７】
このとき、ベローズ１４１の付勢力によって本体管１２１の一方の端部に形成された２つの突片１２１ｅ（図８参照）が雄ルアー部１１１の出口開口１１１ｆの開口縁で形成される２つの半円形状の隙間１１１ｈ（図５参照）に差し込まれ、図１１に示すように丁度この半円形状の隙間１１１ｈが突片１２１ｅによって塞がれる。このため、出口開口１１１ｆが突片１２１ｅによって液密的に封止される。これとともに、雄ルアー部１１１の出口開口１１１ｆに形成された柱部１１１ｇ（図５参照）が本体管１２１の一方の端面に形成された切欠部１２１ｄ（図８参照）内に丁度嵌まり込み、柱部１１１ｇによって第一開口１２１ｂも液密的に封止される。また、柱部１１１ｇは切欠部１２１ｄにて本体管１２１内の流路１２１ａを形成する円弧状の上下端面に当接し、この当接によって本体管１２１がそれ以上移動して外筒部１１０から突き抜けるのが防止される。このように、ベローズ１４１の付勢力によって本体管１２１が外筒部１１０内で移動して、常時は本体管１２１の突片１２１ｅが雄ルアー部１１１の出口開口１１１ｆを液密的に封止し、雄ルアー部１１１の柱部１１１ｇが本体管１２１の第一開口１２１ｂを液密的に封止し合う状態とされる。このときの雄ルアー部１１１の正面図を図１２に示す。図１２からわかるように、第一開口１２１ｂは柱部１１１ｇに収まるようにされて液密的に封止され、出口開口１１１ｆには突片１２１ｅが差し込まれて液密的に封止される。なお、このとき、突片１２１ｅが出口開口１１１ｆに容易に差し込まれるように、突片１２１ｅの外壁をテーパー形状にしてもよい。
【００３８】
ロックリング１３０は、図３、図４に示すように外筒部１１０の雄ルアー部１１１およびリング保持部１１２の外周を覆うように回転可能に取り付けられている。このロックリング１３０は、図示左方端から第一内ネジ部１３１が内周に形成されているとともに、図示右方端にて径方向内方に突出した係止部１３２が形成されている。この係止部１３２の内周面は、リング保持部の１１２の第二円筒部１１２ｂの外周面に対面するように配置されている。ここで、係止部１３２の内径は、第一円筒部１１２ａの外径および第三円筒部１１２ｃの外径よりも小さく、且つ第二円筒部１１２ｂの外径よりも大きくされている。したがって、係止部１３２は第一段差部１１２ｄと第二段差部１１２ｅとの間で外筒部１１０の軸方向に移動可能であるが、その範囲を超えた移動は両段差部１１２ｄ，１１２ｅにより規制される。
【００３９】
図３および図４に示すように、雌ルアーコネクター１０は、図において左から右に向かって内径が大きくなるラッパ形状を呈しており、内部に流路空間１５が形成され、大径端側にて開口されている。流路空間１５を形成する雌ルアーコネクター１０のテーパー状内周壁１０ａは、図において左方から右方に行くにつれて内径が大きくなるテーパー状に形成されている。このテーパー状内周壁１０ａは、雄ルアー部１１１のテーパー状外周壁１１１ｂに対応したテーパー角および径を有する部分を持つものとされる。また、雌ルアーコネクター１０の外周の大径端に近い部分には、径方向外方に突出した突起部１０ｂが形成されている。この突起部１０ｂは、本実施形態においては雌ルアーコネクター１０の外周に対称的に２箇所の位置に設けられており、雌ルアーコネクター１０が雄ルアーコネクター１０１と結合した際に、ロックリング１３０の第一内ネジ部１３１と螺合可能に構成される。
【００４０】
上記構成において、雄ルアーコネクター１０１を雌ルアーコネクター１０に結合しない場合は、図３、図４の状態が維持される。この状態は、上述したように雄ルアー部１１１の出口開口１１１ｆが本体管１２１に形成された突片１２１ｅによって液密的に封止されているとともに、本体管１２１の第一開口１２１ｂが雄ルアー部１１１の柱部１１１ｇにより液密的に封止されている状態である。したがって、第二開口１２１ｃにて本体管１２１に接続された第一管状部材Ｔ１内の流路空間内の液体が第二開口１２１ｃを経て本体管１２１内の流路１２１ａに進入しても、第一開口１２１ｂおよび出口開口１１１ｆが液密的に封止されているために外部に液体が漏れ出すことはない。また、外部から液体が雄ルアーコネクター１０１内に混入することがない。
【００４１】
さらにこのような封止状態でプライミングを行おうとする場合には、柱部１１１ｇに、気体の通過が可能であるとともに液体の通過が不能である気体透過性のフィルターを取り付けておくとよい。このようにすれば、上記のような封止状態であっても、本体管１２１の流路１２１ａ内、および本体管１２１に接続された第一管状部材Ｔ１の流路に滞留する空気等の気体はこのフィルターを介して外部に放出可能であり、プライミングを行うことができる。このとき、液体はフィルターを通過することはできないので、プライミング時に液体が外部に漏れることはない。
【００４２】
雄ルアーコネクター１０１と雌ルアーコネクター１０とを結合するときは、図３、図４に示す状態から、雌ルアーコネクター１０と雄ルアーコネクター１０１との軸心が一致した状態のまま雄ルアーコネクター１０１に近づくように、図示右方へ雌ルアーコネクター１０を軸方向移動する。このとき、雌ルアーコネクター１０の図示右方への軸方向移動によって、雄ルアー部１１１が雌ルアーコネクター１０内の流路空間１５に進入するとともに、雌ルアーコネクター１０の大径側の端面と雄ルアー部１１１の外側に軸方向に沿って突き出た腕部１２２ｂの先端面が当接する。この当接状態から、さらに雌ルアーコネクター１０を図示右方に移動すると、この移動に連動して雌ルアーコネクター１０の端面に当接した腕部１２２ｂも図示右方に移動し、腕部１２２ｂが形成された支持腕１２２を固定する本体管１２１も図示右方へ軸方向移動する。
【００４３】
このような本体管１２１の移動によって、突片１２１ｅが出口開口１１１ｆから離間し、出口開口１１１ｆが突片１２１ｅによって液密的に封止された状態から開放された状態となる。これとともに、柱部１１１ｇが第一開口１２１ｂから離間し、第一開口１２１ｂが柱部１１１ｇによって液密的に封止された状態から解放された状態となる。そして、さらに雌ルアーコネクター１０が図示右方に移動すると、雄ルアー部１１１のテーパー状外周壁１１１ｂと雌ルアーコネクター１０のテーパー状内周壁１０ａとが液密的に当接して、雄ルアーコネクター１０１と雌ルアーコネクター１０とが結合する。この状態でロックリング１３０の第一内ネジ部１３１と雌ルアーコネクター１０の突起部１０ｂとの軸方向位置を合わせ、ロックリング１３０を回転させる。すると、ロックリング１３０に雌ルアーコネクター１０が螺合されて、雌ルアーコネクター１０と雄ルアーコネクター１００とが強固に結合する。
【００４４】
雄ルアーコネクター１０１と雌ルアーコネクター１０との結合が完了した状態の断面図を図１３、図１４（図１３は図２のＡ−Ａ断面、図１４は図２のＢ−Ｂ断面に対応する。）に示す。図１３、図１４からわかるように、雌ルアーコネクター１０のテーパー状内周壁１０ａと雄ルアー部１１１のテーパー状外周壁１１１ｂとは液密的に当接されて、両壁の間から液体が外部には漏れないようにされている。また、腕部１２２ｂが雌ルアーコネクター１０の大径端部に押されることにより、本体管１２１が外筒部１１０内で図示右方向に後退移動し、この後退移動によって雄ルアー部１１１の出口開口１１１ｆと本体管１２１の第一開口１２１ｂとは離れた位置に配置される（図１４参照）。
【００４５】
このような状態において、本体管１２１の第二開口１２１ｃに接続された第一管状部材Ｔ１の流路内の液体は、第二開口１２１ｃから本体管１２１内の流路１２１ａに入り、第一開口１２１ｂを経て雄ルアー部１１１内の内部空間１１１ｄに導入される。さらにこの内部空間１１１ｄから出口開口１１１ｆを通って雌ルアーコネクター１０内の流路空間１５に入り、さらに雌ルアーコネクター１０に接続された第二管状部材（図示省略）内の流路空間に流れる。このようにして、雄ルアーコネクター１０１と雌ルアーコネクター１０との結合によって２つの管状部材間での流通が達成される
【００４６】
図１５は、上記説明の実施形態における腕部に改良を加えた変形例を示す断面図である。なお、この断面図は、図２のＡ−Ａ断面図を見た図に相当する。図１５に示すように、本例における腕部１２２ｂの先端部分には、雄ルアー部の径方向外方にさらに延びるようにして当接部１２２ｃが形成されている。このため、図１６に示すように当接部１２２ｃが雌ルアーコネクター１０の端面に確実に当接することができ、雌ルアーコネクター１０の移動に連動して確実に本体管１２１を移動することができる。
【００４７】
以上のように、本実施形態に係る雄ルアーコネクター１０１は、雄ルアー部１１１内の内部空間１１１ｄ内に本体管１２１の一方の端部が内挿され、この一方の端部に形成された２つの突片１２１ｅが軸方向に移動して雄ルアー部１１１の出口開口１１１ｆを液密的に封止するように構成されるので、雄ルアーコネクター１０１，１０２の不使用時に出口開口１１１ｆを無菌的に保つことができる。また、出口開口１１１ｆの液密的な封止および開放は、上記２つの突片１２１ｅが雄ルアー部１１１の内部空間１１１ｄ内で移動することによりなされ、この突片１２１ｅが雄ルアー部１１１の外部、特に雄ルアー部１１１の小径端面１１１ｅよりも先の領域に大きく露出するようなことはない。したがって、この突片１２１ｅは他の構成に干渉することなく動作可能であり、スムーズに出口開口１１１ｆの液密的な封止および開放を行い得る。
【００４８】
また、突片１２１ｅが出口開口１１１ｆを液密的に封止しているときは、本体管１２１の第一開口１２１ｂも雄ルアー部１１１の柱部１１１ｇにより液密的に封止される。このようにして雄ルアー部１１１および本体管１２１の開口を互いに液密的に封止し合うことにより、確実に本体管１２１内の液体が外部に漏れるのを防止し得るとともに、外部から雄ルアー部１１１の内部空間１１１ｄ内に他の薬液などが混入することが確実に防止される。
【００４９】
また、本体管１２１に固定された支持腕１２２によって、本体管１２１が雌ルアーコネクター１０の移動動作に連動して移動されて出口開口１１１ｆが開放される。このように雌ルアーコネクター１０の移動動作と出口開口１１１ｆの開放動作を連動することにより、雄ルアーコネクター１０１を雌ルアーコネクター１０に結合する作業が簡単になる。
【００５０】
（第二実施形態）
次に、本発明の第二実施形態につき説明する。この実施形態は、本体管１２１の先端面にフィルターを設け、雄ルアー部１１１の出口開口１１１ｆが本体管１２１によって液密的に封止された状態でプライミングが可能とされている点、および、ロックリング１３０と本体管１２１が螺合されていて、ロックリング１３０の回転によって雄ルアー部１１１に対して本体管１２１を移動することができる点に特徴を有する。以下、上記特徴点を中心に説明する。
【００５１】
図１７は、本実施形態に係る雄ルアーコネクター１０２の断面図である。なお、この断面図は、図２におけるＡ−Ａ断面図に相当する。この図からわかるように、本体管１２１の先端面（図示左端面）にはフィルター１５１が取り付けられている。フィルター１５１は、内部に多数の微小孔が形成されており、気体の通過が可能であるが、液体の通過は不能である気体透過フィルターである。このような性質を持つフィルターの材質として、多孔質焼結体等が好ましく用いられる。
【００５２】
図１８は、本体管１２１の先端付近の拡大斜視図、図１９は図１８の斜視図からフィルター１５１を取り除いた本体管１２１の先端付近の拡大斜視図である。図１９からわかるように、本体管１２１の先端にて、本体管１２１内の流路１２１ａが開口している端面１２１ｉから軸方向に沿って立設された２つの突設部１２１ｊが形成されている。この２つの突設部１２１ｊは本体管１２１の軸心に対して対称的に設けられており、且つ流路１２１ａの開口を取り囲んで円弧状に湾曲した壁のように形成されている。ただし、２つの突設部１２１ｊによって上記開口の全周が覆われてしまうことがないように、２つの突設部１２１ｊは所定の間隔を隔てて形成される。
【００５３】
そして、図１８に示すように、円柱形状のフィルター１５１が２つの突設部１２１ｊの内壁に囲まれた空間内に挟着され、抜け落ちないように取り付けられる。またフィルター１５１は、端面１２１ｉから所定の間隔を隔てて配置するように突設部１２１ｊの先端部分に取り付けられる。したがって、フィルター１５１および２つの突設部１２１ｊに囲まれた領域に隙間が形成され、この隙間が本体管１２１の第一開口１２１ｂとなる。
【００５４】
また、図１７に示すように、本体管１２１には、その略中央付近に外ネジ部１２１ｋが形成されている。この外ネジ部１２１ｋに対応して、ロックリング１３０の内周には第二内ネジ部１３３が形成されている。第二内ネジ部１３３は第一内ネジ部１３１とはリードが同一方向となるように形成されている。すなわち、第一内ネジ部１３１が右ネジであれば第二内ネジ部１３３も右ネジとして、第一内ネジ部１３１が左ネジであれば第二内ネジ部１３３も左ネジとして形成される。そして、ロックリング１３０を本体管１２１に組み合わせた状態で、上記第二内ネジ部１３３部が本体管１２１の外ネジ部１２１ｋに螺合するような状態とされる。なお、その他の構成は上記第一実施形態と同様であるので、その具体的説明は省略する。
【００５５】
このような構成の雄ルアーコネクター１０２において、ロックリング１３０を所定の軸回り方向（例えば時計周り方向）に回転させると、本体管１２１の外ネジ部１２１ｋが第二内ネジ部１３３に螺合することによって本体管１２１が図示左方に移動する。そして、本体管１２１の先端部分が雄ルアー部１１１の出口開口１１１ｆに入る。このとき、雄ルアー部１１１の出口開口１１１ｆの形状は、２つの突設部１２１ｊにフィルター１５１が組み合わされたときの断面形状とほぼ等しい形状とされている。このため、突設部１２１ｊおよびフィルター１５１によって出口開口１１１ｆが液密的に封止される。
【００５６】
上記の状態においてプライミングを行った場合、本体管１２１の流路１２１ａ内に滞留していた空気はフィルター１５１を通過して外部に放出される。一方、流路１２１ａ内の液体はフィルター１５１を通過することができないので、液体がプライミング中に外部に放出されることはない。また、雄ルアー部１１１の内側壁１１１ｃと本体管１２１の外周との間にはＯリング１４２が取り付けられているので、上記内側壁１１１ｃと本体管１２１の外周との間の隙間から液体が外部に漏れだすこともない。
【００５７】
プライミングが完了した後に雄ルアーコネクター１０２を雌ルアーコネクター１０に結合するが、このとき、雌ルアーコネクター１０に形成された突起部１０ｂをロックリング１３０の第一内ネジ部１３１に当接させた状態でロックリング１３０が上記所定の軸回り方向とは反対の方向（例えば反時計回り方向）に回転される。すると、雌ルアーコネクター１０の突起部１０ｂがロックリング１３０の回転によって螺合されて雌ルアーコネクター１０が雄ルアーコネクター１０２に近づく方向に移動して、雌ルアーコネクター１０が雄ルアーコネクター１０２に当接される。また、ロックリング１３０の第二内ネジ部１３３は本体管１２１の外ネジ部１２１ｋと螺合しているため、ロックリング１３０の回転によって本体管１２１も軸方向に移動する。このとき、第二内ネジ部１３３は第一内ネジ部１３１とリードが同一方向に形成されているので、ロックリング１３０の上記回転に伴って本体管１２１は雌ルアーコネクター１０の進行方向と同一方向に移動して、ロックリング１３０から遠ざかる。この移動によって、図２０に示すように本体管１２１の突設部１２１ｊおよびフィルター１５１が雄ルアー部１１１の出口開口１１１ｆから離間し、出口開口１１１ｆが開放される。したがって、この状態で本体管１２１の流路１２１ａからの液体が出口開口１１１ｆを通って雌ルアーコネクター１０内に導入される。これによって液体の流通が達成される。
【００５８】
以上のように、上記実施形態に係る雄ルアーコネクター１０２は、本体管１２１の先端に気体の通過が可能であるとともに液体の通過が不能なフィルター１５１を取り付け、このフィルター１５１およびフィルター１５１を挟着する２つの突設部１２１ｊによって、雄ルアー部１１１の出口開口１１１ｆを液密的に封止している。このため、フィルター１５１によって液体の流出が防止された状態でプライミングが可能となる。よって、液漏れを生じることなく雄ルアー部１１１、本体管１２１、または本体管１２１に接続される管状部材内に滞留する空気等の気体を外部に放出することができる。
【００５９】
また、ロックリング１３０には、雌ルアーコネクター１０に螺合する第一内ネジ部１３１と、本体管１２１に螺合する第二内ネジ部１３３を形成されており、ロックリング１３０の回転動作によって、雄ルアーコネクター１０２を雌ルアーコネクター１０に固定する動作と、本体管１２１を移動して出口開口１１１ｆを開放する動作を同時に行うことができる。
【００６０】
（第三実施形態）
図２１ないし図２４は、本発明の第三実施形態に係る雄ルアーコネクター２０１を示している。この雄ルアーコネクター２０１は、第一管状部材Ｔ２の先端部に取り付けられたコネクター本体２１０と、コネクター本体２１０の先端側に設けられた雄ルアー部２２０と、雄ルアー部２２０内に移動可能に設けられた移動本体管２３０と、コネクター本体２１０の先端側の外周に取り付けられたロックリング２４０と、コネクター本体２１０の内部中央側に設けられた弾性シール部材２５０とで構成されている。
【００６１】
コネクター本体２１０は、第一管状部材Ｔ２に接続される基端側部分から先端側に向って徐々に直径が大きくなった略円筒状の基端連結部２１１と、基端連結部２１１の先端部から前方に延びる段付き円筒状の先端支持部２１２とで構成されている。基端連結部２１１の内部は、薬液を通すための流路２１１ａに形成されており、その先端側部分は直径の大きな空間部２１１ｂに形成されている。また、基端連結部２１１の後部側部分における流路２１１ａの外周側部分には後部側から先端側に向かって延びるリング状の固定用凹部２１３が形成されており、この固定用凹部２１３に第一管状部材Ｔ２の先端部を係合させることにより、基端連結部２１１は、第一管状部材Ｔ２に連結されている。そして、基端連結部２１１の先端外周には外径が小さくなった組付け用の段部２１４が形成されている。
【００６２】
先端支持部２１２は、基端連結部２１１の段部２１４に固定される大径の固定部２１５と、固定部２１５の先端中央から前方に延びる細径の支持部２１６とで構成されている。固定部２１５は、段部２１４を内部に入れた状態で固定される大径部２１５ａの内側に、大径部２１５ａよりも直径および軸方向の長さがともに小さく設定された小径部２１５ｂを形成して構成されている。この大径部２１５ａと小径部２１５ｂとは前端部で連結され、大径部２１５ａと小径部２１５ｂとの後端部の間は開口している。そして、弾性シール部材２５０が、大径部２１５ａと小径部２１５ｂとの間に周縁部を挿し込んだ状態で取り付けられている。
【００６３】
すなわち、弾性シール部材２５０の周縁部を大径部２１５ａと小径部２１５ｂとの間に挿し込んで、弾性シール部材２５０を固定部２１５に取り付け、その状態の固定部２１５の大径部２１５ａ内に基端連結部２１１の段部２１４を挿し込んで固定部２１５を基端連結部２１１に固定することにより、弾性シール部材２５０は固定部２１５と基端連結部２１１との間に固定されている。この場合、弾性シール部材２５０における大径部２１５ａと小径部２１５ｂとの間の開口側に位置する部分は、段部２１４の先端部に押圧されて大径部２１５ａと小径部２１５ｂとの間から外れることを防止される。
【００６４】
この弾性シール部材２５０は、弾性および伸縮性を備えた板状のゴムで構成されており、その中央に、伸縮することにより開口したし閉口したりする伸縮穴部２５１が形成されている。このため、弾性シール部材２５０は、前面に後方に向かう所定の押圧力が加わることにより伸びて伸縮穴部２５１を開口させ、その押圧力が解除されることにより収縮して伸縮穴部２５１を閉口させる。この伸縮穴部２５１が閉口しているときには、基端連結部２１１内の流路２１１ａは遮断されて、薬液は流れなくなる。また、弾性シール部材２５０の後面における中央部（伸縮穴部２５１の周囲部分）には、後方に向って突出した円錐状の小さな突起２５２が形成されている。この突起２５２によって、流路２１１ａ内に薬液が充填された際に、弾性シール部材２５０の中央部にかかる圧力が分散されて弾性シール部材２５０の耐圧性が向上する。
【００６５】
支持部２１６は、固定部２１５の小径部２１５ｂと内径が同じで外径が小さくなった小径部２１５ｂよりもやや細く軸方向の長さが長くなった筒状に形成されている。また、支持部２１６の外周面における先端側部分を除く部分には、先端側部分よりも外径がやや小さくなったスライド用の凹部２１６ａが形成されている。そして、支持部２１６の内部側に、支持部２１６の内周面と間隔を保って、略円筒状の雄ルアー部２２０が、先端部を支持部２１６の先端開口から突出させた状態で設けられている。この雄ルアー部２２０は、リング状の壁部２１６ｂ（図２２参照）を介して支持部２１６に連結されており、その先端側部分は、雌ルアーコネクター２０のテーパー状内周壁２０ａと液密的に接触できるように形成されている
【００６６】
雄ルアー部２２０は、先端側（図示左側）に向かうにつれて先細りとなるテーパー形状の円筒形に形成されており、その先端面は、外径が最も小さくなる小径端面２２１を形成する。また、雄ルアー部２２０の基端側（図示右側）は開口していて、この開口部分から後述する移動本体管２３０が雄ルアー部２２０の内部に内挿される。図２２は支持部２１６および雄ルアー部２２０を正面から見た状態を示しており、雄ルアー部２２０の小径端面２２１には細長い出口開口２２２が形成されている。また、壁部２１６ｂには、出口開口２２２の長手方向の部分を挟んで外部側が凸状になった円弧状の一対の窓部２１７が形成されている。
【００６７】
移動本体管２３０は、内部に流路２３１が形成された略円筒体で構成されており、外周に一対の支持腕２３２が形成されている。流路２３１は本発明の連通用流路に相当し、移動本体管２３０の軸方向に沿って形成されており、移動本体管２３０の両端は、それぞれ開口されている。また、移動本体管２３０の先端面中央からは、雄ルアー部２２０の出口開口２２２内に入って出口開口２２２を液密的に封止できる突片２３３が前方に向って突出しており、移動本体管２３０の先端面における突片２３３の両側部分に開口（図示せず）が形成されている。この開口は、移動本体管２３０が前方に移動したときに、小径端面２２１によって閉塞される。
【００６８】
一対の支持腕２３２は、移動本体管２３０の後端部から、移動本体管２３０の外周面と所定の間隔を保った状態で前方に延びている。一対の支持腕２３２は移動本体管２３０に対して対称的に配置するように１８０度の間隔で移動本体管２３０に取り付けられており、その先端が移動本体管２３０の先端側の開口を越えない程度に延びている。このように構成された移動本体管２３０は、雄ルアー部２２０内に軸方向移動可能に挿入されており、支持腕２３２の先端部は、壁部２１６ｂに形成された一対の窓部２１７を通って外部に突出している。また、雄ルアー部２２０の内側壁の中央部付近と、移動本体管２３０の外周面との間には、Ｏリング２３５が嵌め込まれている。
【００６９】
この移動本体管２３０は、弾性シール部材２５０の弾性によって前方に付勢されて移動し、突片２３３が出口開口２２２内に入って出口開口２２２を液密的に封止したときに、
弾性シール部材２５０の伸縮穴部２５１も収縮して閉口するように構成されている。この雄ルアーコネクター２０１および雄ルアーコネクター２０１に接続される雌ルアーコネクター２０のそれ以外の部分の構成は、前述した第一実施形態と同一である。したがって、同一部分に同一符号を記して説明は省略する。
【００７０】
このように構成された雄ルアーコネクター２０１を雌ルアーコネクター２０に連結する場合には、まず、図２１に示したように、雌ルアーコネクター２０の先端開口に雄ルアーコネクター２０１の先端部を対向させて接近させる。ついで、雄ルアー部２２０を、雌ルアーコネクター２０の内部に進入させて、図２３に示したように、雌ルアーコネクター２０のテーパー状内周壁２０ａと雄ルアー部２２０の先端側部分の外周面とを液密的に接触させる。このとき、支持腕２３２の先端部は、雌ルアーコネクター２０の先端面に当接して、移動本体管２３０を雄ルアー部２２０内の後方に向って移動させる。これによって、出口開口２２２および弾性シール部材２５０の伸縮穴部２５１が開口する。
【００７１】
そして、ロックリング２４０の第一内ねじ１３１と雌ルアーコネクター２０の突起部１０ｂとを接触させたのちに、ロックリング２４０を所定の軸周り方向に回転させることにより第一内ねじ１３１と突起部１０ｂとを螺合させていく。そして、第一内ねじ１３１と突起部１０ｂとの螺合が適度な状態になると、図２４に示したように、雌ルアーコネクター２０と雄ルアーコネクター２０１とは、液漏れが生じない適度な連結状態で連通する。
【００７２】
以上のように、本実施形態に係る雄ルアーコネクター２０１では、雄ルアーコネクター２０１と雌ルアーコネクター２０とが接続されていないときには、弾性シール部材２５０の弾性力によって、雄ルアー部２２０が前方に付勢され出口開口２２２が閉塞されるとともに、弾性シール部材２９自身の伸縮穴部２５１も閉口する。このため、雄ルアーコネクター２０１の流路２１１ａ内の薬液が移動本体管２３０の流路２３１内に浸入することが防止されるとともに、雄ルアー部２２０の出口開口２２２から外部にこぼれることも防止される。この結果、薬液がこぼれて雄ルアーコネクター２０１の外表面に付着し、付着部分から菌が繁殖するといったことを防止できる。また、薬液がこぼれて無駄になることもなくなる。
【００７３】
また、雌ルアーコネクター２０内に雄ルアー部２２０を入れることにより、雌ルアーコネクター２０のテーパー状内周壁２０ａと雄ルアー部２２０の外周面とが液密的に接触したときに、弾性シール部材２５０が移動本体管２３０に押されて伸縮穴部２５１が開口する。このため、薬液を外部に漏らすことなく適度な流量で第一管状部材Ｔ２から雌ルアーコネクター２０に接続された第二管状部材に流すことができる。また、雄ルアーコネクター２０１と雌ルアーコネクター２０とを外したときにも、弾性シール部材２５０の復元力により伸縮穴部２５１が閉口するため雄ルアーコネクター２０１内の流路２１１ａは閉塞される。
【００７４】
このとき、移動本体管２３０が前方に移動して出口開口２２２が閉塞される。このため、雄ルアーコネクター２０１と雌ルアーコネクター２０とを外す際に、雄ルアー部２２０の出口開口２２２から薬液がこぼれることがなくなる。この雄ルアーコネクター２０１のそれ以外の作用効果については、前述した雄ルアーコネクター１０１と同様である。なお、本実施形態の雄ルアーコネクター２０１においても、前述した実施形態の変形例が備える気体透過性のフィルターやその他の機構や部材等を利用することができる。
【符号の説明】
【００７５】
２０…雌ルアーコネクター、２０ａ…テーパー状内周壁、１０ｂ…突起部、１５…流路空間、２０１…雄ルアーコネクター、２２０…雄ルアー部、２２１…小径端面、２２２…出口開口、２１１ａ，２３１…流路、２３２…支持腕（連動機構）、２３５…Ｏリング（シール部材）、２１０…コネクター本体、２３０…移動本体管、２３３…突片、２５０…弾性シール部材、２５１…伸縮穴部
【図１】
0005523527.tif 000002
【図２】
0005523527.tif 000003
【図３】
0005523527.tif 000004
【図４】
0005523527.tif 000005
【図５】
0005523527.tif 000006
【図６】
0005523527.tif 000007
【図７】
0005523527.tif 000008
【図８】
0005523527.tif 000009
【図９】
0005523527.tif 000010
【図１０】
0005523527.tif 000011
【図１１】
0005523527.tif 000012
【図１２】
0005523527.tif 000013
【図１３】
0005523527.tif 000014
【図１４】
0005523527.tif 000015
【図１５】
0005523527.tif 000016
【図１６】
0005523527.tif 000017
【図１７】
0005523527.tif 000018
【図１８】
0005523527.tif 000019
【図１９】
0005523527.tif 000020
【図２０】
0005523527.tif 000021
【図２１】
0005523527.tif 000022
【図２２】
0005523527.tif 000023
【図２３】
0005523527.tif 000024
【図２４】
0005523527.tif 000025